(57)【要約】【課題】操作ハンドルの引起し角度が小さくて操作性が良く、掃除が容易な業務用冷蔵庫等の扉用ロックハンドル装置を提供する。【解決手段】操作ハンドル６の引起しにより作動レバー１２の先端駆動部によってラッチ１０の基端被牽引部２９を牽引し、ラッチ１０の先端部と受金８との係合を解除するようにした扉用ロックハンドル装置において、装置本体１の全体を流線形に形成し、相交差する二つの面の会合部を曲面によって形成し、ラッチ１０と受金８が係合した施錠状態において、操作ハンドル６の先端駆動部１１を作動レバー１２の受動アーム部１３と当接させるとともに、装置本体１の取付翼部２の前面側に窪み部３１を形成し、窪み部３１の底部に固着具４が挿入される取付孔３２を形成し、窪み部３１に嵌め込み固定したカバープレート３３によって固着具４の頭部を隠蔽する。【選択図】図４
2007321487.tif 000002
【特許請求の範囲】
【請求項１】
固着具４によって扉３に固着される一対の取付翼部２を上下側面部に形成した装置本体１と、
前記装置本体１に第１枢軸５によって起伏可能に連結された操作ハンドル６と、
前記操作ハンドル６の長さ方向に整列して前記装置本体１の内部に収容され、固定枠体７に固着された受金８と係合する位置に第１付勢バネ９によって突出付勢されたラッチ１０と、
前記装置本体１の内部に収容され、前記第１枢軸５によって前記操作ハンドル６に連結され、前記第１枢軸５に関して前記ラッチ１０の側にある受動アーム部１３を前記操作ハンドル６の先端駆動部１１によって押され、前記受動アーム部１３が前記ラッチ１０の基端被牽引部２９に係合している作動レバー１２と、
前記装置本体１の内部に収容され、前記第１枢軸５に関してラッチ１０の反対側にある前記作動レバー１２の従動アーム部１４に第２枢軸１５によって連結され、前記作動レバー１２の前記従動アーム部１４に係脱可能な作動アーム部１６が、前記装置本体１の底板１７に形成した押棒挿入孔１８に対面するリリースレバー１９と、
前記底板１７に基端部を固着され、第２付勢バネ２０によって押し上げられた先端ロック部２１が、前記ラッチ１０の背面受部２２に係合することによって、前記ラッチ１０が前記受金８より離脱するのを阻止するロックプレート２３と、
前記装置本体１に埋め込み装備され、前記ロックプレート２３の前記先端ロック部２１が前記ラッチ１０の前記背面受部２２から離脱するように駆動するロックカム２４をロータ２５の先端部に固着してある錠前ユニット２６と、
前記扉３の内外貫通孔２７を通して前記底板１７の押棒挿入孔１８に挿入され、所定ストロークだけ前記装置本体１の内部に押し込まれたとき、前記第２枢軸１５に関して前記ラッチ１０側にある前記リリースレバー１９の操作アーム部２８によって前記ロックプレート２３を押し下げて、前記ロックプレート２３の前記先端ロック部２１を前記ラッチ１０の前記背面受部２２から離脱させる一方、前記リリースレバー１９の前記作動アーム部１６に前記作動レバー１２の前記従動アーム部１４を係合させ、前記作動レバー１２の前記受動アーム部１３によって前記ラッチ１０の前記基端被牽引部２９を牽引して、前記ラッチ１０を前記受金８から離脱させる庫内押棒３０とからなる扉用ロックハンドル装置において、
前記装置本体１の全体を流線形に形成し、相交差する二つの面の会合部を曲面によって形成し、前記ラッチ１０と前記受金８が係合した施錠状態において、前記操作ハンドル６の前記先端駆動部１１を前記作動レバー１２の前記受動アーム部１３と当接させるとともに、前記装置本体１の前記取付翼部２の前面側に窪み部３１を形成し、前記窪み部３１の底部に前記固着具４が挿入される取付孔３２を形成し、前記窪み部３１に嵌め込み固定したカバープレート３３によって前記固着具４の頭部を隠蔽したことを特徴とする扉用ロックハンドル装置。
【発明の詳細な説明】
【技術分野】
【０００１】
本発明は、業務用冷蔵庫や冷蔵庫等の扉に装着され、扉を庫本体等の固定枠体に対して施錠するのに使用される扉用ロックハンドル装置に関する。
【背景技術】
【０００２】
装置本体が一対の取付翼部を介して扉に固着され、前記装置本体に操作ハンドルが第１枢軸によって起伏可能に連結されており、固定枠体に固着された受金と係合するラッチが突出付勢されて前記装置本体に装備され、前記装置本体に収容された作動レバーが前記第１枢軸で前記操作ハンドルに連結され、前記作動レバーの受動アーム部が前記操作ハンドルの先端駆動部によって押され、前記受動アーム部が前記ラッチの基端被牽引部に係合しており、前記装置本体に収容されたリリースレバーが前記第２枢軸によって前記作動レバーに連結され、前記作動レバーの前記従動アーム部に係脱可能な作動アーム部が、前記装置本体の底板の押棒挿入孔に対面しており、前記底板に固着されたロックプレートの先端ロック部が前記ラッチの背面受部に係合することによって、前記ラッチが前記受金より離脱するのを阻止しており、前記装置本体に埋め込み装備された錠前ユニットのロータの先端部には、前記ロックプレートを駆動するロックカムを固着してあり、前記扉の内外貫通孔を通して前記底板の押棒挿入孔に庫内押棒を挿入して所定ストローク押し込むと、前記リリースレバーの操作アーム部が前記ロックプレートを押し下げて、前記先端ロック部を前記背面受部から離脱させる一方、前記リリースレバーの前記作動アーム部で前記作動レバーの前記従動アーム部を押して、前記ラッチの先端部を前記受金から離脱させるようにした扉用ロックハンドル装置は、既に知られている（特許文献１参照）。
【０００３】
しかしながら、この従来の扉用ロックハンドル装置では、ラッチと受金が係合した施錠状態において、操作ハンドルの先端駆動部が作動レバーの受動アーム部から相当離れているため、扉の解錠開放に当たって操作ハンドルを第１枢軸を中心に引起し回転させたとき、ある一定角度空転した後に操作ハンドルの先端駆動部から作動レバーの受動アーム部に回転力が伝達され、ある時間差を置いて作動レバーの受動アーム部によってラッチの基端被牽引部が牽引され、ラッチの先端部が受金から離脱して固定枠体に対する扉の施錠が解除される。
【０００４】
このように解錠の当初段階における操作ハンドルの引起し角度が大きいため、操作性が悪く、扉の解錠後、操作ハンドルを手前に引いて扉を開放するとき、操作ハンドルが扉に対して直立に近い急角度に配置され、操作ハンドルから手が滑り易くなってしまう難点がある。
【０００５】
レストラン等の厨房に設置されている業務用冷蔵庫に使用する場合、厨房内の衛星管理のために扉用ロックハンドル装置も頻繁に清掃対象となるのであるが、従来の扉用ハンドル装置では、操作ハンドルを含めた装置本体は角張った形態に形成され、相交差する二面の会合部が直角に形成されているため、清掃がし難いものであり、前記会合部に汚れが残ってしまうことがある。
【０００６】
また、装置本体の取付翼部を扉に固着するビスやボルト等の固着具の頭部が露出しているため、固着具の頭部が清掃の障害物となり、固着具の頭部の周囲に汚れが残留してしまうことがある。
【０００７】
【特許文献１】特許第２７９７２７６号公報
【発明の開示】
【発明が解決しようとする課題】
【０００８】
本発明の課題は、操作ハンドルの引起し角度が小さくて済むため操作性が良いとともに、清掃時の作業性も改善される扉用ロックハンドル装置を提供することである。
【課題を解決するための手段】
【０００９】
本発明の主たる特徴は、固着具４によって扉３に固着される一対の取付翼部２を上下側面部に形成した装置本体１と、前記装置本体１に第１枢軸５によって起伏可能に連結された操作ハンドル６と、前記操作ハンドル６の長さ方向に整列して前記装置本体１の内部に収容され、固定枠体７に固着された受金８と係合する位置に第１付勢バネ９によって突出付勢されたラッチ１０と、前記装置本体１の内部に収容され、前記第１枢軸５によって前記操作ハンドル６に連結され、前記第１枢軸５に関して前記ラッチ１０の側にある受動アーム部１３を前記操作ハンドル６の先端駆動部１１によって押され、前記受動アーム部１３が前記ラッチ１０の基端被牽引部２９に係合している作動レバー１２と、
前記装置本体１の内部に収容され、前記第１枢軸５に関してラッチ１０の反対側にある前記作動レバー１２の従動アーム部１４に第２枢軸１５によって連結され、前記作動レバー１２の前記従動アーム部１４に係脱可能な作動アーム部１６が、前記装置本体１の底板１７に形成した押棒挿入孔１８に対面するリリースレバー１９と、前記底板１７に基端部を固着され、第２付勢バネ２０によって押し上げられた先端ロック部２１が、前記ラッチ１０の背面受部２２に係合することによって、前記ラッチ１０が前記受金８より離脱するのを阻止するロックプレート２３と、
前記装置本体１に埋め込み装備され、前記ロックプレート２３の前記先端ロック部２１が前記ラッチ１０の前記背面受部２２から離脱するように駆動するロックカム２４をロータ２５の先端部に固着してある錠前ユニット２６と、
前記扉３の内外貫通孔２７を通して前記底板１７の押棒挿入孔１８に挿入され、所定ストロークだけ前記装置本体１の内部に押し込まれたとき、前記第２枢軸１５に関して前記ラッチ１０側にある前記リリースレバー１９の操作アーム部２８によって前記ロックプレート２３を押し下げて、前記ロックプレート２３の前記先端ロック部２１を前記ラッチ１０の前記背面受部２２から離脱させる一方、前記リリースレバー１９の前記作動アーム部１６に前記作動レバー１２の前記従動アーム部１４を係合させ、前記作動レバー１２の前記受動アーム部１３によって前記ラッチ１０の前記基端被牽引部２９を牽引して、前記ラッチ１０を前記受金８から離脱させる庫内押棒３０とからなる扉用ロックハンドル装置において、
前記装置本体１の全体を流線形に形成し、相交差する二つの面の会合部を曲面によって形成し、前記ラッチ１０と前記受金８が係合した施錠状態において、前記操作ハンドル６の前記先端駆動部１１を前記作動レバー１２の前記受動アーム部１３と当接させるとともに、前記装置本体１の前記取付翼部２の前面側に窪み部３１を形成し、前記窪み部３１の底部に前記固着具４が挿入される取付孔３２を形成し、前記窪み部３１に嵌め込み固定したカバープレート３３によって前記固着具４の頭部を隠蔽したことである。
【発明の効果】
【００１０】
本発明の扉用ロックハンドル装置では、ラッチ１０と受金８が係合した施錠状態において、操作ハンドル６の先端駆動部１１を作動レバー１２の受動アーム部１３と当接させてあるため、扉３の解錠開放に当たって操作ハンドル６を第１枢軸５を中心に引起し回転させたとき、回転開始と同時に操作ハンドル６の先端駆動部１１から作動レバー１２の受動アーム部１３に回転力が伝達され、作動レバー１２の受動アーム部１３によってラッチ１０の基端被牽引部２９が直ちに牽引され、ラッチ１０の先端部が受金８から即座に離脱させられ、固定枠体７に対する扉３の施錠が解除され、扉３はそのまま操作ハンドル６を手前に引くことによって開放される。操作ハンドル６の先端駆動部１１と作動レバー１２の受動アーム部１３との間に遊動間隔が置かれていないため、操作ハンドル６の引起し角度は最小限で足る。
【００１１】
このように解錠の当初段階における操作ハンドルの引起し角度が小さくて済むため、扉の解錠後、操作ハンドルを手前に引いて扉を開放するとき、操作ハンドルが扉に対して緩い角度に配置されることになり、操作ハンドルから手が滑ることがないので操作性に優れている。
【００１２】
また、装置本体１の全体を流線形に形成し、相交差する二つの面の会合部を曲面によって形成するとともに、取付翼部２に形成した窪み部３１の底部に固着具４が挿入される取付孔３２を形成し、窪み部３１に嵌め込み固定したカバープレート３３によって固着具４の頭部を隠蔽したので、清掃作業が容易であり、前記会合部や固着具の頭部周囲に汚れが残留してしまうことがなく、厨房内の衛生管理上も優れている。
【実施例】
【００１３】
図示の実施例では、装置本体１の両側面の根元部にある正面視台形状の取付翼部２には、全長及び全幅にわたって細長い窪み部３１が形成されており、固着具４による装置本体１の取付け終了後、同形のカバープレート３３によって窪み部３１が埋め合わされ、固着具４が隠される。
【００１４】
レストランの終業等によって業務用冷蔵庫を当分開閉しないときには、無権限者による扉３の開放を阻止するために、錠前ユニット２６のロータ２５の鍵孔に所定の鍵３４が挿入され、ロータ２５に連結されたロックカム２４を施錠方向に回すことによって、ロックプレート２３の先端ロック部２１をラッチ１０の背面受部２２に係合させる。この係合状態は、第２付勢バネ２０の付勢によって安定に保持される。第１付勢バネ９と第２付勢バネ２０は、圧縮コイルバネによって構成されている。かくして、操作ハンドル６を引起し回転させてもラッチ１０は装置本体１側に後退摺動せず、鍵３４をロータ２５から抜き取ることによって本格施錠が成立する。
【００１５】
この本格施錠を解除するには、鍵３４をロータ２５に挿入してロータ２５を逆方向に回し、ロックカム２４のカム斜面３５によってロックプレート２３の先端ロック部２１をラッチ１０の背面受部２２から離脱させる。その後、操作ハンドル６を引起し回転させることによって、作動レバー１２を介してラッチ１０が解錠位置に牽引される。
本格施錠を解除する別の方法は、冷蔵庫の固定枠体７の内部に閉じ込められた作業員が、庫内押棒３０を使用してリリースレバー１９を駆動することである。庫内押棒３０を所定ストローク押し込むと、リリースレバー１９と作動レバー１２を介してラッチ１０が解錠位置に牽引される。
【００１６】
装置本体１は４個の取付孔３２を通るボルト型の固着具４によって扉３に固着される。ラッチ１０の先端部と受金８との係合深さを調整可能とするため、取付孔３２は装置本体１の長さ方向に長い長孔に形成されている。受金８は庫内側から袋ナット３６に螺合されるボルト３７によって、固定枠体７の正面縁枠部３８に固着されている。
操作ハンドル６の第１枢軸５は装置本体１を横断し、リリースレバー１９の第２枢軸１５は操作ハンドル６を横断している。
【００１７】
ロックプレート２３の基端部は装置本体１の底板１７にビス３９によって固着され、ロックプレート２３５は第２付勢バネ２０によって施錠成立方向に付勢されている。ロックカム２４は円筒体に形成され、錠前ユニット２６のロータ２５の先端部に相対回転不能に嵌められ、ビス４０でロータ２５に固着されている。リリースレバー１９の円弧状スロット４１には、操作ハンドル６に固設したガイドピン４２が挿入されている。
【００１８】
庫内押棒３０によってリリースレバー１９の作動アーム部１６を押すと、リリースレバー１９の操作アーム部２８がロックプレート２３を押し、ロックプレート２３の先端ロック部２１をラッチ１０の背面受部２２から離脱させる。庫内押棒３０を更に押すと、リリースレバー１９の作動アーム部１６が作動レバー１２の従動アーム部１４を押すため、作動レバー１２の受動アーム部１３がラッチ１０のピン状の基端被牽引部２９を牽引することになり、これによってラッチ１０が後退摺動させられるため、錠前ユニット２６を操作しなくても、固定枠体７の内側から解錠して脱出することができる。
装置本体１には、付加的に南京錠のフック棒の挿入孔４３を設けてある。
【図面の簡単な説明】
【００１９】
【図１】本発明の一実施例に係る扉用ロックハンドル装置の正面図である。
【図２】図１の扉用ロックハンドル装置の底面図である。
【図３】図１の扉用ロックハンドル装置の左側面図である。
【図４】図１のＡ−Ａ線断面図である。
【符号の説明】
【００２０】
１  装置本体
２  装置本体の取付翼部
３  業務用冷蔵庫の扉
４  装置本体の固着具
５  操作ハンドル用の第１枢軸
６  操作ハンドル
７  業務用冷蔵庫の固定枠体
８  受金
９  ラッチ用の第１付勢バネ
１０  ラッチ
１１  操作ハンドルの先端駆動部
１２  作動レバー
１３  作動レバーの受動アーム部
１４  作動レバーの従動アーム部
１５  リリースレバー用の第２枢軸
１６  リリースレバーの作動アーム部
１７  装置本体の底板
１８  底板の押棒挿入孔
１９  リリースレバー
２０  ロックプレート用の第２付勢バネ
２１  ロックプレートの先端ロック部
２２  ラッチの背面受部
２３  ロックプレート
２４  ロックカム
２５  錠前ユニットのロータ
２６  錠前ユニット
２７  扉の内外貫通孔
２８  リリースレバーの操作アーム部
２９  ラッチの基端被牽引部
３０  庫内押棒
３１  取付翼部の窪み部
３２  窪み部の取付孔
３３  カバープレート
３４  錠前ユニットの鍵
３５  ロックカムのカム斜面
３６  受金用の袋ナット
３７  受金用のボルト
３８  固定枠体の正面縁枠部
３９  ロックプレート用のビス
４０  ロックカム用のビス
４１  リリースレバーの円弧状スロット
４２  リリースレバーのガイドピン
【図１】
2007321487.tif 000003
【図２】
2007321487.tif 000004
【図３】
2007321487.tif 000005
【図４】
2007321487.tif 000006